(57)【要約】      （修正有）【課題】燃焼炎を伴うキャンドルとしての癒し効果、消臭効果が得られ、キャンドル本体を内方から発光させることで、複合的に光の装飾性を発揮可能な蝋発光式キャンドルを提供する。【解決手段】キャンドル本体に芯材に沿って埋め込んだ光ファイバにより、芯材の燃焼炎の光をキャンドル本体内の発光ユニットの光センサに導入してこれを検出し、検出信号に基づき、発光回路からの指令により、キャンドル本体内で発光ダイオードを発光させる。【選択図】図１
0003177575.tif 000002
【実用新案登録請求の範囲】
【請求項１】
透明または半透明の容器と、
該容器に収納され、かつ蝋からなる半透明のキャンドル本体と、
該キャンドル本体に、長さ方向を該キャンドル本体の長さ方向に向けて埋め込んだ可燃性の芯材と、
前記キャンドル本体に、前記芯材に沿って埋め込んだ可燃性の光ファイバと、
前記キャンドル本体に埋設され、前記光ファイバを通して導入された前記芯材の燃焼炎の光を検出することで、前記キャンドル本体を光らせる発光ユニットとを備え、
前記発光ユニットは、
前記キャンドル本体を内方から光らせる発光ダイオードと、
前記光ファイバを通して前記芯材の燃焼炎を検出する光センサと、
前記発光ダイオードの電源となる電池と、
前記光センサからの検出信号に基づき、前記電池の電力により前記発光ダイオードを発光させる発光回路が形成された回路基板とを有したものである蝋発光式キャンドル。
【請求項２】
前記発光ダイオードとして、発光色が異なる複数の発光ダイオードを使用し、
前記発光回路は、前記複数の発光ダイオードを所定の順序で発光させる請求項１に記載の蝋発光式キャンドル。
【請求項３】
前記キャンドル本体は、前記発光ユニットを納めた成形型に、溶かした前記蝋を流し込んで冷やすことで得られたもので、
前記発光ユニットは、前記発光ダイオードが上面から露出し、かつ内部空間に前記光センサ、前記電池および前記回路基板を収納する外装ケーシングを有し、
該外装ケーシングの上面には、前記キャンドル本体用の蝋とは異なる別の蝋からなり、かつ前記発光ダイオードを埋没する厚さを有したダイオード熱劣化防止層を積層した請求項１または請求項２に記載の蝋発光式キャンドル。
【請求項４】
前記キャンドル本体は香料を含む前記蝋からなる請求項１〜請求項３のうち、何れか１項に記載の蝋発光式キャンドル。
【考案の詳細な説明】
【技術分野】
【０００１】
この考案は蝋発光式キャンドル、詳しくは可燃性の芯材に燃焼炎をともせるとともに、キャンドル本体を内方から発光可能な蝋発光式キャンドルに関する。
【背景技術】
【０００２】
一般なキャンドルは、蝋からなるキャンドル本体に可燃性の芯材を埋め込んだもので、芯材の先端部に着火してこれを燃焼させることにより、芯材がキャンドル本体の溶解蝋を燃料として吸い上げながら燃焼炎を発生させるようになっている。
また、近年、例えば特許文献１に記載された「電子キャンドル」のように、発光色が異なる複数の発光ダイオード（ＬＥＤ）を光源とし、これらの発光時間、発光順序を制御手段によって制御しながら発光させるものが知られている。
【特許文献１】特開２００５−３５３４１５号公報
【考案の概要】
【考案が解決しようとする課題】
【０００３】
しかしながら、燃焼炎を伴う一般的なキャンドルは、単にキャンドル本体の中心に固定した芯材が溶解蝋を吸収しながら燃焼炎を発するものであるため、周囲を単に照らすだけにすぎず、光の装飾性を発揮するものとしては単調であった。例えば、結婚式の披露宴で行われているキャンドルサービス用のものとしては演出効果に欠けていた。
一方、特許文献１に記載された「電子キャンドル」の場合には、複数の発光ダイオードを適宜発光させることにより、燃焼炎に近いゆらぎや、燃焼炎では発現できない色彩が異なる複数の電子炎を所定の時間だけ所定の順序で発光させることができるものの、夕日の色温度と同じくらいと言われるやわらかいオレンジ色の燃焼炎の癒し効果は得られない。
また、電子キャンドルの場合には、燃焼炎が有する、空気中の臭いの元を燃やすことで発現される消臭効果は得られない。そのため、電子炎をともしても、例えば室内にこもったタバコやペットの臭いを消すことはできない。
【０００４】
そこで、考案者は鋭意研究の結果、キャンドル本体に可燃性の芯材に沿って埋め込んだ可燃性の光ファイバを利用し、前記芯材の燃焼炎の光をキャンドル本体に埋め込んだ発光ユニットの光センサに導入してこれを検出し、その検出信号に基づき、この発光ユニットの発光回路からの指令によって、キャンドル本体の内部で複数の発光ダイオードを、所定の時間でかつ所定の順番で発光させるように構成すれば、上述した問題は全て解消することを知見し、この考案を完成させた。
【０００５】
この考案は、燃焼炎を伴う一般的なキャンドルとしての癒し効果、消臭効果が得られるとともに、キャンドル本体を内方から発光させることで、複合的に光の装飾性を発揮することができる蝋発光式キャンドルを提供することを目的としている。
【課題を解決するための手段】
【０００６】
請求項１に記載の考案は、透明または半透明の容器と、該容器に収納され、かつ蝋からなる半透明のキャンドル本体と、該キャンドル本体に、長さ方向を該キャンドル本体の長さ方向に向けて埋め込んだ可燃性の芯材と、前記キャンドル本体に、前記芯材に沿って埋め込んだ可燃性の光ファイバと、前記キャンドル本体に埋設され、前記光ファイバを通して導入された前記芯材の燃焼炎の光を検出することで、前記キャンドル本体を光らせる発光ユニットとを備え、前記発光ユニットは、前記キャンドル本体を内方から光らせる発光ダイオードと、前記光ファイバを通して前記芯材の燃焼炎を検出する光センサと、前記発光ダイオードの電源となる電池と、前記光センサからの検出信号に基づき、前記電池の電力により前記発光ダイオードを発光させる発光回路が形成された回路基板とを有したものである蝋発光式キャンドルである。
【０００７】
また、請求項２に記載の考案は、前記発光ダイオードとして、発光色が異なる複数の発光ダイオードを使用し、前記発光回路は、前記複数の発光ダイオードを所定の順序で発光させる請求項１に記載の蝋発光式キャンドルである。
【０００８】
請求項３に記載の考案は、前記キャンドル本体は、前記発光ユニットを納めた成形型に、溶かした前記蝋を流し込んで冷やすことで得られたもので、前記発光ユニットは、前記発光ダイオードが上面から露出し、かつ内部空間に前記光センサ、前記電池および前記回路基板を収納する外装ケーシングを有し、該外装ケーシングの上面には、前記キャンドル本体用の蝋とは異なる別の蝋からなり、かつ前記発光ダイオードを埋没する厚さを有したダイオード熱劣化防止層を積層した請求項１または請求項２に記載の蝋発光式キャンドルである。
【０００９】
請求項４に記載の考案は、前記キャンドル本体は香料を含む前記蝋からなる請求項１〜請求項３のうち、何れか１項に記載の蝋発光式キャンドルである。
【００１０】
容器の素材は、透明または半透明であれば任意である。例えば、各種のガラス、各種のプラスチックなどを採用することができる。
容器の形状としては、例えば、コップ形状、皿形状などを採用することができる。
キャンドル本体は、蝋を所定形状に成形したもので、可燃性の芯材がその先端部をキャンドル本体の上面から突出させて埋め込まれている。
キャンドル本体としては、パラフィンワックス、パームワックスなどの人工蝋の他、ハゼ蝋、ウルシ蝋などの天然蝋を採用することができる。
キャンドル本体には、香料を添加してアロマキャンドルとすることができる。香料としては、例えばローズ、ラベンダ、レモン、オレンジなどの香水（アロマエッセンス）を採用することができる。
【００１１】
芯材としては、例えば綿糸、イグサなどを採用することができる。
光ファイバとしては、光の屈折率が異なるコアおよびグラッドからなる熱失性（燃焼により消失する性質、可燃性）を有したものを採用することができる。光ファイバの下端部を発光ユニットの光センサの入光部に導光可能に固定することで、光ファイバによって芯材の着火光（燃焼光）を発光ユニットの光センサに導き、電気回路を閉成して発光ダイオードを発光させる。光ファイバは、芯材の燃焼消失に伴って徐々に消失することにより、芯材の着火光を常に光センサに導く構成となっている。
光ファイバの外周面には、この外周面を通して光がセンサに導光されないように、不透明なコーティング膜により覆われている。コーティング膜としては、塗装膜、テープなどを採用することができる。
【００１２】
発光ユニットは、外装ケーシングに電気系統（光センサ、電池および回路基板など）を収納したものの方が好ましい。このように構成すれば、キャンドル本体の成形に伴って発光ユニットをキャンドル本体に埋め込む際に、蝋の熱による発光ユニットの電気系統の劣化を防止することができる。ここでいう「外装ケーシングに電気系統を収納する」とは、外装ケーシングの一部の壁板を回路基板で兼用した場合を含む。この場合、溶けた別の蝋の熱による劣化を避けるため、発光回路は回路基板の裏面（内面）に形成する必要がある。
また、発光ダイオードは、外装ケーシングの外に配置した方が、空間を介さずに蝋と発光ダイオードとを接触させて一体化できるために好ましい。このようにすれば、キャンドル本体内で発生した発光ダイオードの光が、途中で空間の存在に因る局所的な光度の増大領域を生じることなく、発光ダイオードを中心として、キャンドル本体の外周面に向かって徐々に光度が低下していく自然な光の減衰を演出することができる。
【００１３】
しかしながら、このようなキャンドル本体内での自然な光の減衰効果を得るためには、上述したようにキャンドル本体の成形と同時に、キャンドル本体の内部に、発光ダイオードを露出した状態で発光ユニットを埋め込む必要がある。その際、成形型に流し込まれた大量の蝋の熱（６０℃以上）により、発光ダイオードが著しく（熱）劣化するおそれがある。そこで、これを抑制するため、外装ケーシングの上面に、キャンドル本体用の蝋とは異なる別の蝋からなり、かつ発光ダイオードを埋没する厚さを有したダイオード熱劣化防止層を積層するように構成した方が望ましい。すなわち、露出した発光ダイオードを、キャンドル本体の成形量より少ない量の別の蝋からなるダイオード熱劣化防止層によってあらかじめ覆っておく。ダイオード熱劣化防止層の寸法は、前記キャンドル本体より堆積が小さければ限定されないものの、例えば平面視した大きさが外装ケーシングの大きさと略同じで、かつその厚さが発光ダイオードの長さ（高さ）と同一かそれより最大１０ｍｍ長くなる厚さである。
【００１４】
このようにすれば、ダイオード熱劣化防止層に使用される蝋の量の方がキャンドル本体の場合より少ないため、発光ダイオードの溶けた蝋による熱劣化を抑制し、発光ダイオードを蝋と一体的にキャンドル本体に埋め込むことができる。しかも、ダイオード熱劣化防止層は、例えばプラスチックではなく、キャンドル本体と同様に蝋からなるため、成形型に発光ユニットを配置して蝋を流し込むことでキャンドル本体を成形する際、流し込まれた蝋の熱でダイオード熱劣化防止層の表層が溶け、キャンドル本体とダイオード熱劣化防止層とは境界面のない状態で一体化する。これにより、前述したキャンドル本体内での発光ダイオードから発生した光が、途中に局所的な光度の増大領域を生じることなく、この発光ダイオードを中心として、キャンドル本体の外周面に向かって徐々に光度低下する自然な光の減衰を、より効果的に演出することができる。また、このダイオード熱劣化防止層を、別の蝋を原料として作製しなければならない他の理由としては、仮にこれをプラスチック製とした場合、一般的に蝋よりプラスチックの方が溶融温度が高いため、発光ダイオードの熱劣化が促進されるなどが挙げられる。
【００１５】
発光ダイオードとしては、単色発光のもの、複色発光のものの何れも採用することができる。また、発光ダイオードは、１個のみの使用でも、発光色が異なる複数の発光ダイオードを使用してもよい。
キャンドル本体での発光ユニットの埋設位置は任意である。ただし、蝋を有効に使用するため、一般的にはキャンドル本体の下部が好ましい。
光センサとしては、光電感度素子、光電変換素子などを採用することができる。
電池としては、例えばボタン電池など、小型の電池の方が、キャンドル本体内にコンパクトに収納できて好ましい。
発光回路は、芯材の着火光を検出して発光ダイオードの発光を制御する。具体的には、発光ダイオードの常時点灯や点滅を行う。また、発光色が異なる複数の発光ダイオードを使用する場合には、これらの発光ダイオードを同時または所定の順序で発光させることで、蝋発光式キャンドルの複合的な光の装飾性をさらに高めることができる。
【考案の効果】
【００１６】
請求項１に記載の考案によれば、キャンドル本体に可燃性の芯材に沿って埋め込んだ光ファイバにより、芯材の燃焼炎の光をキャンドル本体に埋め込んだ発光ユニットの光センサに導入してこれを検出し、その検出信号に基づき、発光回路からの指令によってキャンドル本体内で発光ダイオードを発光させる。これにより、燃焼炎を伴う一般的なキャンドルとしての癒し効果、消臭効果などが得られるとともに、発光ダイオードによりキャンドル本体を内方から発光させて、複合的に光の装飾性を発揮することができる。
【００１７】
特に、請求項２に記載の考案によれば、発光ダイオードとして、発光色が異なる複数の発光ダイオードを使用し、発光回路は、複数の発光ダイオードを所定の順序で発光させるように構成したため、蝋発光式キャンドルの複合的な光の装飾性をさらに高めることができる。
【００１８】
また、請求項３に記載の考案によれば、キャンドル本体の成形と同時に、キャンドル本体の内部に、外装ケーシングの上面から発光ダイオードを露出した状態で発光ユニットを埋め込む前に、外装ケーシングの上面に、キャンドル本体用の蝋とは異なる別の蝋からなり、かつ発光ダイオードを埋没する厚さを有したダイオード熱劣化防止層をあらかじめ積層しておく。
このように構成したことで、発光ダイオードを、キャンドル本体の成形量より少量の別の蝋からなるダイオード熱劣化防止層によってあらかじめ覆うため、キャンドル本体内で発光ダイオードから発生した光が、途中で、キャンドル本体の内部に形成された空間の存在に因る局所的な光度の増大領域が生じることなく、発光ダイオードを中心として、キャンドル本体の外周面に向かって徐々に光度が低下する自然な光の減衰を演出可能となる。しかも、ダイオード熱劣化防止層に使用される別の蝋の量の方がキャンドル本体に使用される蝋の使用量より少なくて蝋の冷却時間が短縮されるため、発光ダイオードの蝋による熱劣化を抑えることができる。
【００１９】
さらに、請求項４に記載の考案によれば、キャンドルに点火してから一定時間の経過後に、芳香成分が発散し、人の心を和ませることができ、これによりアロマテラピー効果を奏することができる。
【図面の簡単な説明】
【００２０】
【図１】この考案の実施例１に係る蝋発光式キャンドルの使用状態の斜視図である。
【図２】この考案の実施例１に係る蝋発光式キャンドルの縦断面図である。
【図３】この考案の実施例１に係る蝋発光式キャンドルの一部を構成する発光ユニットの分解斜視図である。
【図４】この考案の実施例１に係る蝋発光式キャンドルの一部を構成する回路基板の裏面図である。
【考案を実施するための形態】
【００２１】
以下、この考案の実施例を具体的に説明する。
【実施例】
【００２２】
図１および図２において、１０はこの考案の実施例１に係る蝋発光式キャンドル（以下、キャンドル）で、このキャンドル１０は、半透明の容器１１と、容器１１に収納され、かつ蝋からなる半透明のキャンドル本体１２と、キャンドル本体１２に、長さ方向をキャンドル本体１２の長さ方向に向けて埋め込んだ可燃性の芯材１３と、キャンドル本体１２に、芯材１３に沿って埋め込んだ可燃性の光ファイバ１４と、キャンドル本体１２に埋設され、光ファイバ１４を通して導入された芯材１３の燃焼炎の光を検出することで、キャンドル本体１２を光らせる発光ユニット１５とを備えている。
【００２３】
以下、これらの構成体を具体的に説明する。
図１および図２に示すように、容器１１は、表面がすりガラス面となった耐熱性の強化ガラスからなり、かつ開口形状が円形のコップである。
キャンドル本体１２は、容器１１に嵌入可能な円錐台形状を有し、かつパラフィンワックスにローズの香水を所定の配合量で練り合わせた人工蝋からなる、白濁した半透明のアロマキャンドルである。具体的なキャンドル本体１２の製造にあっては、容器１１と同形状を有する成形型の底面の中央部に発光ユニット１５を載置し、芯材１３と光ファイバ１４との先端部のみが、蝋の液面（上面）から露出する高さまで、ローズの香水入りの溶融した蝋（６０℃）を流し込み、これを冷やして脱型することでキャンドル本体１２を得る。
芯材１３は可燃性の綿糸からなり、キャンドル本体１２の成形時、成形型の内部空間に、上端部のみが成形後のキャンドル本体１２の上面の中心部から突出するように垂直状態で位置決めし、その後、香水入り蝋を成形型にゆっくりと流し込み、その後、これを冷やすことにより、芯材１３がキャンドル本体１２の中心軸線上に配置されて一体化する。
光ファイバ１４は、光の屈折率が異なるコアおよびグラッドからなる熱失性を有したプラスチック製の線材１４ａを、不透明で可燃性の白色のコーティング塗料１４ｂにより被覆したものである。
【００２４】
次に、図３および図４を参照して、発光ユニット１５を詳しく説明する。
図３および図４に示すように、発光ユニット１５は、主に、外装ケーシング１６と、キャンドル本体１２を内方から光らせる３個の発光ダイオード１７〜１９と、光ファイバ１４を通して芯材１３の燃焼炎を検出する光センサ２０と、発光ダイオード１７〜１９の電源となる２個のボタン電池（電池）２１と、光センサ２０からの検出信号に基づき、ボタン電池２１の電力により発光ダイオード１７〜１９を発光させる発光回路２２が形成された回路基板２３とを備えている。
外装ケーシング１６は、上面が開口したプラスチックからなる不透明な円筒容器で、高さが短い円筒形状の胴部２４と、胴部２４の下面の開口部の一部に、樹脂ヒンジＨを介して一体的に連結された蓋体２５とを有している。蓋体２５を開いて、ボタン電池２１の交換などを行う。また、胴部２４の上縁の対向する部分には、回路基板２３を外装ケーシング１６の開口部に掛止する一対の掛止爪２６が突設されている。両掛止爪２６によって外装ケーシング１６に掛止された回路基板２３は、外装ケーシング１６の上面の蓋体を構成する。このとき、外装ケーシング１６は、上下両面の開口が閉蓋された密閉容器となる。
【００２５】
発光ダイオード１７〜１９のうち、発光ダイオード１７は赤色に発光し、発光ダイオード１８は青色に発光する。また、発光ダイオード１９は緑色に発光する。
回路基板２３は、ガラスエポキシからなる不透明な円形状の板材に、発光回路２２が形成されたものである。回路基板２３は、その裏面のみに発光回路２２が形成され、その表面には３個の発光ダイオード１７〜１９が露出するように構成されている。そのため、外装ケーシング１６の上面となる回路基板２３の上面にダイオード熱劣化防止層２７を積層する際、外装ケーシング１６の上板となるガラスエポキシ製の回路基板２３が断熱材の役目を果たす。その結果、後述のダイオード熱劣化防止層２７を成形する際、別の成形型内に流し込まれた別の蝋の熱によって発光回路２２が劣化しにくい。
発光回路２２は、光電感度素子からなる光センサ２０からの検出信号により、３個の発光ダイオード１７〜１９を所定時間、所定の順序で発光させるＣＰＵ２２ａを有している。３個の発光ダイオード１７〜１９は、回路基板２３の上面に、三角形状に離間した状態で固定されている。また、回路基板２３の上面の中心部には、光ファイバ１４の下端部の挿通孔が形成され、この挿通孔を覆うように短尺な金属管２８が立設されている。金属管２８には、光ファイバ１４の下端部と芯材１３の下端部とが挿入され、この状態で金属管２８をカシメることで、光ファイバ１４および芯材１３が平行状態で回路基板２３の中心部上に立設される。
【００２６】
回路基板２３の裏面には、発光回路２２を保護するスポンジシートからなる円形の保護板２９が貼着されている。保護板２９の中心部には、表裏面を貫通して、発光回路２２の電源系統のマイナス極端子３０を挿通する端子孔が形成されている。
また、回路基板２３の外周部の一部分には、下方に向かってＬ字形状のプラス極端子３２が延びており、前記保護板２９の裏面には、端子孔を通して露出したマイナス極端子３０が突出している。２個のボタン電池２１はプラス極端子３２の弾性力を利用して、回路基板２３の裏側でプラス極端子３２とマイナス極端子３０との間に挟持される。
こうして構成された発光ユニット１５の電気系統は、外装ケーシング１６の上面の開口からその内部空間に挿入され、この状態で、回路基板２３の外縁部の対向部分を２個の掛止爪２６によって掛止することで外装ケーシング１６と一体化される。
【００２７】
発光ユニット１５が組み込まれた外装ケーシング１６の上面には、キャンドル本体１２の作製用の蝋とは異なる別の蝋からなるダイオード熱劣化防止層２７が積層されている。別の蝋は香料を含んでおらず、ダイオード熱劣化防止層２７は、平面視して回路基板２３と同一直径で、かつ発光ダイオード１７〜１９を埋没する厚さを有した、発光ダイオード１７〜１９の長さより１〜３ｍｍ厚い円形板材である。
ダイオード熱劣化防止層２７の作製にあたっては、発光ダイオード１７〜１９を成形空間に配置した状態で発光ユニット１５を専用の別の成形型に嵌め込み、この状態で溶けた別の蝋を型内に流し込んだ後、これを冷やして脱型する。これにより、外装ケーシング１６の上面に、発光ダイオード１７〜１９が埋め込まれたダイオード熱劣化防止層２７が成形される。
その後、発光ユニット１５が埋設されたキャンドル本体１２は容器１１に挿入され、接着剤によって容器１１の底板に固定される。
【００２８】
次に、図１〜図４を参照してこの考案の実施例１に係るキャンドル１０の使用方法を説明する。
キャンドル使用時には、マッチなどを使用して芯材１３に火をつける。これにより、燃焼光（着火光）が光ファイバ１４の先端からその内部に入光し、その光が光ファイバ１４を通って、キャンドル本体１２の下部に埋め込まれた発光ユニット１５の光センサ２０に導かれる。これに基づき、発光回路２２を閉成して、赤色の発光ダイオード１７、青色の発光ダイオード１８、緑色の発光ダイオード１９を、それぞれ所定の順序で所定の時間だけ発光させる。その後、この順序での発光ダイオード１７〜１９の発光を繰り返す。これにより、燃焼炎を伴う一般的なキャンドル１０としての癒し効果、消臭効果などが得られるとともに、発光ダイオード１７〜１９によりキャンドル本体１２を内方から発光させ、それらの光をすりガラスからなる容器１１を通して観ることで、複合的に光の装飾性を発揮することができる。例えば、近年、披露宴のキャンドル１０サービスで慣例化しつつある「小さな火には天使が宿る」という西洋のことわざに因み、「新郎新婦の幸せを祈りながら招待客が一斉に手持ちのキャンドル１０を吹き消し、白い煙とともに二人の幸せを天高く舞い上がらせる」という婚礼の儀式なども支障なく行うことができる。また、光ファイバ１４は、芯材１３の燃焼消失に伴って徐々に消失する。これにより、芯材１３の燃焼光を常に光センサ２０に導くことができる。
【００２９】
また、発光ダイオード１７〜１９として、発光色が異なる光の３原色を放つ赤、青、緑の３種類の発光ダイオードを使用し、発光回路２２により、これらの発光ダイオード１７〜１９を所定の順序で、かつ所定の時間だけ発光させるように構成したため、様々な色彩での発光を可能として蝋発光式キャンドル１０の複合的な光の装飾性をさらに高めることができる。
また、キャンドル１０に点火してから一定時間の経過後に、キャンドル本体１２に含まれた芳香成分が発散する。これにより、人の心を和ませることができ、アロマテラピー効果を奏することができる。
【００３０】
さらに、発光ユニット１５には、外装ケーシング１６に電気系統（光センサ２０、ボタン電池２１および回路基板２３など）が収納されているため、キャンドル本体１２を成形すると同時に発光ユニット１５をキャンドル本体１２に埋め込む際に、蝋の熱による発光ユニット１５の電気系統の劣化を防止することができる。
さらにまた、ここでは、キャンドル本体１２に発光ユニット１５を埋め込む前に、外装ケーシング１６の上面に、キャンドル本体用の蝋とは異なる別の蝋からなり、かつ発光ダイオード１７〜１９を埋没する厚さを有したダイオード熱劣化防止層２７をあらかじめ積層している。すなわち、発光ダイオード１７〜１９が、キャンドル本体１２の成形量より少量の別の蝋からなるダイオード熱劣化防止層２７によって事前に覆われる。そのため、キャンドル本体１２内で発光ダイオード１７〜１９から発生した光が、途中で、キャンドル本体１２の内部に形成された空間の存在に因る局所的な光度の増大領域を生じることなく、それぞれの発光ダイオード１７〜１９を中心として、キャンドル本体１２の外周面に向かって徐々に光度が低下する自然な光の減衰を演出することができる。しかも、ダイオード熱劣化防止層２７に使用される別の蝋の量の方がキャンドル本体１２に使用される蝋の使用量より少なく蝋の冷却時間が短くなるため、発光ダイオード１７〜１９の蝋による熱劣化を抑えることができる。
【産業上の利用可能性】
【００３１】
この考案の蝋発光式キャンドルは、芯材に燃焼炎をともせて、キャンドル本体を内方から発光可能なキャンドルとして有用である。
【符号の説明】
【００３２】
１０  蝋発光式キャンドル、
１１  容器、
１２  キャンドル本体、
１３  芯材、
１４  光ファイバ、
１５  発光ユニット、
１６  外装ケーシング、
１７〜１９  発光ダイオード、
２０  光センサ、
２１  ボタン電池（電池）、
２２  発光回路、
２３  回路基板、
２７  ダイオード熱劣化防止層。
【図１】
0003177575.tif 000003
【図２】
0003177575.tif 000004
【図３】
0003177575.tif 000005
【図４】
0003177575.tif 000006